(57)【要約】【課題】開閉操作が容易で、安価に製造し得え、且、具体的な設置条件に対して容易に追従しうる開閉装置、及び、これを用いた建築構造体を提供する。【解決手段】開閉装置３を構成するベース部４において、一対の支持部４１、４１は、互いに間隔Ｌ４１を隔てて向かい合っている。曲軸体５は、両端５０が一対の支持部４１、４１に軸回転可能に取り付けられている。主アーム部５１は、両端５０のそれぞれを中心として回転運動（Ｒ１又はＲ２）する。連結アーム部５２は、両端５０と主アーム部５１とを連結し、主アーム部５１の回転半径Ｄ５１を決定する。開閉装置３は、支柱７と、シート体８と組み合わされて建築構造体１を構成する。支柱７は、間隔Ｌ４１内に配置されている。シート体８は、一端８１が主アーム部５１に取り付けられ、支柱７を開閉可能に覆っている。【選択図】図１
2012100561.tif 000002
【特許請求の範囲】
【請求項１】
ベース部と、曲軸体とを含む開閉装置であって、
前記ベース部は、一対の支持部を有しており、
前記一対の支持部は、互いに間隔を隔てて向かい合っており、
前記曲軸体は、主アーム部と、連結アーム部とを有し、両端が前記一対の支持部に軸回転可能に取り付けられており、
前記主アーム部は、前記両端のそれぞれを中心として回転運動し、
前記連結アーム部は、前記両端のそれぞれと、前記主アーム部とを連結し、前記主アーム部の回転半径を決定する、
開閉装置。
【請求項２】
請求項１に記載された開閉装置であって、
前記一対の支持部のそれぞれは、中間部分が高さ方向に突出しており、
前記曲軸体の前記両端は、前記突出部分に軸回転可能に取り付けられている、
開閉装置。
【請求項３】
請求項１又は２に記載された開閉装置であって、さらに弾性部材を含み、
前記弾性部材は、前記曲軸体と、前記ベース部との間に設けられ、前記主アーム部が一方向に回転したとき、前記曲軸体に対して、前記主アーム部の回転方向とは逆方向に反発力を生じさせる、
開閉装置。
【請求項４】
請求項１乃至３の何れかに記載された開閉装置であって、
前記ベース部は、枠状であり、前記一対の支持部と、一対の連結部とを有しており、
前記一対の連結部は、一面に支柱受け部を有し、前記一対の支持部と交差する位置において、互いに間隔を隔てて向かい合っている、
開閉装置。
【請求項５】
開閉装置と、少なくとも１つの支柱と、シート体とを含む建築構造体であって、
前記開閉装置は、請求項１乃至４の何れかに記載されたものでなり、
前記支柱は、前記一対の支持部の前記間隔内に配置されており、
前記シート体は、一端が前記主アーム部に取り付けられ、前記支柱を開閉可能に覆っている、
建築構造体。
【請求項６】
請求項５に記載された建築構造体であって、農業用温室、テント、又は、建築物の一部の何れか１つである、
建築構造体。
【発明の詳細な説明】
【技術分野】
【０００１】
本発明は、開閉装置、及び、これを用いた建築構造体に関する。本発明に係る開閉装置を用いた「建築構造体」には、農業用温室やテントなどの仮設建築物の他、庇や屋根など建築物の一部が含まれる。
【背景技術】
【０００２】
従来、トンネル型の農業用温室（トンネル型温室）を用いた農作物の栽培が行われている。一般にトンネル型温室は、アーチ状に湾曲させた複数の支柱を、畝の長さに沿って間隔を隔てて設置し、設置した支柱にシート体を被せることにより構成される。トンネル型温室は、シート体の内側にトンネル状の内部空間を有するから、例えば畝に設置することにより、作付けされた農作物を、気温や地温の低下、風雨、霜、露などの外界の悪天候から保護することができる。
【０００３】
ところで、この種のトンネル型温室は、トンネル内が高温化および高湿化しやすいから、農作物の育成上、適宜トンネル内の換気を行うことが重要となる。トンネル型温室の換気作業について、特許文献１には、シート体の一端縁（裾部分）を上方にたくし上げ、支柱に掛け止める止め具が開示されている。
【０００４】
他方、特許文献１の開示内容では、農作業従事者に過大な労働負担が掛かる点で問題がある。すなわち、トンネル型温室は、畝の長さに沿って設けられるものであるから、通常、トンネル型温室の長さは数ｍから数十ｍにも達する。しかも、シート体は、裾部分が地表面に位置するため、農作業従事者は、換気作業を行う際に長時間の中腰姿勢を強いられる。特に、農作業従事者の高齢化が進む今日では、労働負担を軽減し、且、作業効率を向上しうることが求められている。
【０００５】
上述した要請に応えるものとして、特許文献２には、アーチ状の支柱と、シート体と、シート支持杆と、駆動ロープと、ロープ巻取杆と、ハンドルとから構成されるトンネル開閉装置が開示されている。シート体は、アーチ状の支柱を被覆し、裾部分がシート支持杵によって支持されている。駆動ロープは、シート支持杆を牽引する。
【０００６】
確かに、特許文献２のトンネル開閉装置によると、農作業作業者は、ハンドルを操作してロープ巻取杆に駆動ロープを巻き取ることにより、シート支持杆に支持されているシート体の裾部分を一連にたくし上げることができる。
【０００７】
しかし、特許文献２に係るトンネル開閉装置の構成において、シート支持杆の長さは、畝の長さに沿って予め決定されているから、例えば、季節ごとに作付けされる農作物が変わり、覆うべき作付け面積が変わった場合、シート支持杆を交換しない限り、作付け面積の変更に追従することができない。
【０００８】
また、特許文献２のトンネル開閉装置では、部品点数が多い分だけ製造コスト高となるから、農業従事者は、その導入に当たって過大な経済的負担を強られることとなる。しかも、部品点数が多い分だけ、故障等の不具合が発生する危険が高まり、導入後にも定期的な保守点検が必要となるから、維持管理費用が掛かることとなる。
【０００９】
さらに近年、個人が趣味で行う家庭菜園やベランダ菜園などの進展に伴い、数ｍ程度の小規模なトンネル型温室に対する市場の要請が高まっている。これに対し、そもそも、特許文献２に係るトンネル開閉装置は、専業農家など一定以上の規模で行われる農作業に用いられることを想定した構造となっており、小規模なトンネル型温室に用いた場合には、コスト高となる。
【先行技術文献】
【特許文献】
【００１０】
【特許文献１】特開２００９−１８９３３４号公報
【特許文献２】特開２００８−０９２８３６号公報
【発明の概要】
【発明が解決しようとする課題】
【００１１】
本発明の課題は、開閉操作が容易な開閉装置、及び、これを用いた建築構造体を提供することである。
【００１２】
本発明のもう１つの課題は、安価に製造し得る開閉装置、及び、これを用いた建築構造体を提供することである。
【００１３】
本発明の更にもう一つの課題は、具体的な設置条件に対して容易に追従しうる開閉装置、及び、これを用いた建築構造体を提供することである。
【課題を解決するための手段】
【００１４】
上述した課題を解決するため、本発明に係る開閉装置は、ベース部と、曲軸体とを含む。ベース部は、一対の支持部を有しており、一対の支持部は、互いに間隔を隔てて向かい合っている。曲軸体は、主アーム部と、連結アーム部とを有し、両端が一対の支持部に軸回転可能に取り付けられている。主アーム部は、両端のそれぞれを中心として回転運動する。連結アーム部は、両端のそれぞれと、主アーム部とを連結し、主アーム部の回転半径を決定する。
【００１５】
本発明に係る開閉装置は、少なくとも１つの支柱と、シート体と組み合わされることにより、農業用温室、テント、又は、建築物の庇部分もしくは屋根部分などの建築構造体を構成するために用いられる。本発明に係る建築構造体を構成する支柱は、一対の支持部の間隔内に配置されている。シート体は、一端が主アーム部に取り付けられ、支柱を開閉可能に覆っている。
【００１６】
上述したように、本発明に係る建築構造体を構成する開閉装置において、ベース部を構成する一対の支持部は、互いに間隔を隔てて向かい合っているから、該間隔内に、農作物などの被覆対象物を配置することができる。しかも、一対の支持部の間隔は、被覆対象物の寸法に応じて適宜設定することが可能であるから、具体的な設置条件に対して容易に追従しうる開閉装置を提供することができる。
【００１７】
曲軸体は、両端が、ベース部を構成する一対の支持部に軸回転可能に取り付けられているから、一対の支持部を設置した状態で、曲軸体のみを軸回転させることが可能となる。従って、開閉操作が容易な開閉装置を提供することができる。
【００１８】
主アーム部は、両端のそれぞれを中心として回転運動する。この構造によると、主アーム部にシート体の一端を取り付け、曲軸体を軸回転させることにより、該シート体の一端を一連に持ち上げ、又は、引き下ろすことが可能となる。従って、開閉操作が容易な開閉装置、及び、これを用いた建築構造体を提供することができる。
【００１９】
連結アーム部は、曲軸体の両端のそれぞれと、主アーム部とを連結し、主アーム部の回転半径を決定する。すなわち、主アーム部は、曲軸体を軸回転させたとき、両端を中心とし、且、連結アーム部の長さ寸法を回転半径とする円弧状の軌跡を描きながら回転する。この構成によると、例えば支柱を円弧状に湾曲させ、一対の支持部の間隔に配置した場合に、連結アーム部の長さ寸法を適宜調節することにより、主アーム部を、該支柱の外側で回転させることができる。従って、開閉操作が容易な開閉装置、及び、これを用いた建築構造体を提供することができる。
【００２０】
本発明に係る開閉装置は、さらに弾性部材を含み、弾性部材は、曲軸体と、ベース部との間に設けられ、主アーム部が一方向に回転したとき、曲軸体に対して、主アーム部の回転方向とは逆方向に反発力を生じさせる、との構成を有することができる。この構成によると、例えば、農業用温室内の換気作業において、主アーム部に取り付けられているシート体の一端を持ち上げたとき、弾性部材は、主アーム部に対して押し下げる方向に反発力を生じさせる。従って、開閉操作が容易な開閉装置、及び、これを用いた建築構造体を提供することができる。
【発明の効果】
【００２１】
以上述べたように、本発明によれば、次のような効果を得ることができる。
（１）開閉操作が容易な開閉装置、及び、これを用いた建築構造体を提供することができる。
（２）安価に製造し得る開閉装置、及び、これを用いた建築構造体を提供することができる。
（３）具体的な設置条件に対して容易に追従しうる開閉装置、及び、これを用いた建築構造体を提供することができる。
【００２２】
本発明の目的、構成及び利点については、添付図面を参照し、更に詳しく説明する。添付図面は、単に、例示に過ぎない。
【図面の簡単な説明】
【００２３】
【図１】本発明の一実施形態に係る建築構造体の斜視図である。
【図２】図１の建築構造体の一部を省略して示す斜視図である。
【図３】図２の骨組体の分解構造を示す斜視図である。
【図４】図２の骨組体の一部を拡大して示す斜視図である。
【図５】図２の骨組体の操作方法を示す左側面図である。
【図６】図５に示した工程の後の状態を示す図である。
【図７】本発明のもう一つの実施形態に係る建築構造体の斜視図である。
【図８】図７の建築構造体の内部構造を示す正面断面図である。
【図９】図７及び図８の建築構造体について操作方法を示す左側面図である。
【図１０】図９に示した工程の後の状態を示す図である。
【図１１】図１０に示した工程の後の状態を示す図である。
【図１２】本発明の更にもう一つの実施形態に係る建築構造体の側面図である。
【図１３】本発明の更にもう一つの実施形態に係る建築構造体の一部の斜視図である。
【図１４】図１３の骨組体の一部を抜き出して示す断面図である。
【図１５】本発明の更にもう一つの実施形態に係る建築構造体の内部構造を示す正面断面図である。
【図１６】本発明の更にもう一つの実施形態に係る建築構造体の一部の斜視図である。
【図１７】図１６の骨組体の分解構造を示す斜視図である。
【図１８】本発明の更にもう一つの実施形態に係る建築構造体の内部構造を示す正面断面図である。
【図１９】図１８の骨組体の一部を抜き出して示す平面図である。
【図２０】本発明の更にもう一つの実施形態に係る建築構造体の斜視図である。
【発明を実施するための形態】
【００２４】
図１乃至図２０において同一符号は、同一又は対応部分を示すものとする。また、図１乃至図２０の説明において、建築構造体（１）の高さ方向、及び、ベース部（４）の厚み方向は、それぞれ一致するから、全て符号Ｔに統一して示す。同様に、建築構造体（１）の幅方向、及び、支持部（４１）の長さ方向は、それぞれ一致するから、全て符号Ｗに統一して示す。
【００２５】
図１は、本発明の一実施形態に係る建築構造体の斜視図である。また、図２は図１の建築構造体の一部（骨組体）を省略して示す斜視図、図３は図２の骨組体の分解構造を示す斜視図、図４は図２の骨組体の一部を拡大して示す斜視図である。本発明に係る開閉装置を用いた「建築構造体」には、農業用温室やテントなどの仮設建築物の他、庇や屋根など開閉可能な建築物の一部が含まれる。
【００２６】
図１の建築構造体１は、所謂トンネル栽培に用いられる農業用温室（トンネル型ビニールハウス）を最小単位で示したものであって、骨組体２と、シート体８とを含む。骨組体２は、開閉装置３（図２乃至図４）と、支柱７との組み合わせによって、建築構造体１の基礎的な骨組み部分を構成するものである。以下、図２乃至図４を参照して、骨組体２の構造を説明する。
【００２７】
図２乃至図４の骨組体２において、開閉装置３は、ベース部４と、曲軸体５と、弾性部材６とを含む。ベース部４は、平面からみて矩形状の枠体で構成されており、長手方向Ｌに延びる長辺と、長手方向Ｌに直交する幅方向Ｗに延びる短辺とを有し、面内に高さ方向Ｔに貫通する貫通部分４０を有している。ベース部４は、機械的強度の観点から金属材料で構成されている。もっとも、ベース部４は、耐候性、耐腐食性の観点から、合成樹脂材料、繊維強化プラスチック（ＦＲＰ）などで構成することもできる。
【００２８】
ベース部４は、一対の支持部４１、４１と、一対の連結部４３、４３とを有している。一対の支持部４１、４１は、曲軸体５を支持するものであって、長手方向Ｌに間隔Ｌ４１を隔てて、互いに平行する関係で向かい合っている。一対の支持部４１、４１は、ベース部４の短辺を構成している。
【００２９】
一対の支持部４１、４１は、一対の軸受け部４１０を有し、その長さ方向（Ｗ）でみた中間部分が高さ方向Ｔに突出し、突出部分４１１を構成している。図２乃至図４の突出部分４１１は、長さ方向（Ｗ）でみた支持部４１の中央において高さ方向Ｔに突出している。
違う言葉で表現すれば、突出部分４１１は、支持部４１において、連結アーム部５２の回転半径（Ｄ５１）に沿った方向でみた中央において高さ方向Ｔに突出している。
【００３０】
軸受け部４１０は、中空部を有する筒状体、又は、パイプ状体であって、金属材料で構成されている。軸受け部４１０は、突出部分４１１の表面において、長手方向Ｌに沿って配置され、配置された状態で一端が支持部４１の長辺から貫通部分４０の側に突出し、且、突出部分４１１の表面に溶接されている。
【００３１】
一対の連結部４３、４３は、一対の支持部４１、４１と交差する位置において、幅方向Ｗに間隔Ｌ４３を隔てて、互いに平行する関係で向かい合っている。一対の連結部４３、４３は、ベース部４の長辺を構成している。一対の連結部４３、４３は、一対の支持部４１、４１を連結するものであって、長手方向Ｌの端部近傍の表面に、一対の支持部４１、４１の端部が溶接されている。
【００３２】
さらに、一対の連結部４３、４３は、複数の支柱受け部４４を有している。支柱受け部４４は、有底筒状体であって、開口部４５が高さ方向Ｔに向いた状態で、連結部４３の表面上に立設されている。複数の支柱受け部４４は、相互に所定の間隔Ｌ４４を隔て、長手方向Ｌに沿って等配されている。支柱受け部４４は、支柱７を保持するものであるから、間隔Ｌ４４は、この種のトンネル型ビニールハウスを構成する支柱７の配置態様に応じて適宜調節することができる。一例として、間隔Ｌ４４は、３００ｍｍ程度が好ましい。
【００３３】
一対の連結部４３、４３は、一対の支持部４１、４１の端部が固定された箇所から端部までが、長手方向Ｌに張り出す部分４３０を構成している。この張出部分４３０の長さ寸法Ｌ４３０は、間隔Ｌ４４の半分程度（１５０ｍｍ程度）となっている。この構造によると、連設部分で間隔Ｌ４４が乱れることなく、複数の建築構造体（１）を長手方向Ｌに連接することができる。
【００３４】
曲軸体５は、複数の屈曲箇所を有する細棒であり、機械的強度の観点から金属材料で構成されている。もっとも、曲軸体５は、耐候性、耐腐食性の観点から、合成樹脂材料、繊維強化プラスチック（ＦＲＰ）などで構成することもできる。
【００３５】
曲軸体５は、一対の端部５０、５０と、主アーム部５１と、連結アーム部５２とを有している。一対の端部５０、５０は、長手方向Ｌでみて一点鎖線で示す直線ａ上に重なっている。違う言葉で表現すれば、曲軸体５は、一対の端部５０、５０を回転軸ａとして軸回転することができる。
【００３６】
主アーム部５１は、長手方向Ｌでみた曲軸体５の中間部分であって、一対の端部５０、５０と平行し、長手方向Ｌの両端が２つの屈曲箇所を介して一対の端部５０、５０のそれぞれに連続している。主アーム部５１は、端部５０を軸回転させたとき、端部５０を中心として回転運動（Ｒ１又はＲ２）する。違う言葉で表現すれば、主アーム部５１は、曲軸体５が軸回転するとき、一対の端部５０、５０のそれぞれを中心とする円の円弧上をスイング移動（Ｒ１又はＲ２）する。
【００３７】
連結アーム部５２は、端部５０と主アーム部５１とを連結し、主アーム部５１の回転半径（Ｄ５１）を決定する。連結アーム部５２は、端部５０と、主アーム部５１とを接続する２つの屈曲箇所の間にあらわれている。すなわち、曲軸体５は、少なくとも、端部５０と連結アーム部５２との接続部分、及び、連結アーム部５２と主アーム部５１との接続部分にそれぞれ屈曲箇所を有するクランクシャフト状の屈曲構造となっている。
【００３８】
曲軸体５は、一対の支持部４１、４１と交差する方向（Ｌ）に伸びており、一対の端部５０、５０が、一対の支持部４１、４１に軸回転可能に取り付けられている。曲軸体５は、一対の端部５０、５０が、ベース部４の内側から外側に向かって、軸受け部４１０に差し込まれている。
【００３９】
弾性部材６は、曲軸体５と、ベース部４との間に設けられ、主アーム部５１が一方向に回転したとき、曲軸体５に対して、主アーム部５１の回転方向（Ｒ１）とは逆方向（Ｒ２）に反発力（Ｆ）を生じさせる。図２乃至図４の弾性部材６は、所謂ねじりコイルばねであって、軸受け部４１０の外面に巻装され、巻装された状態で外部に導出されている一端６１が支持部４１に掛け止められ、他端６２が連結アーム部５２に掛け止められている。弾性部材６は、曲軸体５に対して、端部５０を中心とする円の円弧（Ｃ）上に沿って主アーム部５１をスイング移動させる反発力（Ｆ）を付与する。もっとも、弾性部材６は、所定の方向へ反発力を付与するために取り付けられるものであるから、必ずしもねじりコイルばねに限定するものではない。例えば、弾性部材６は、板ばね等を用いて構成することができる。
【００４０】
支柱７は、一対の支持部４１、４１の間隔Ｌ４１内に配置されている。支柱７は、この種のトンネル型ビニールハウスにおいて周知の構成部分であるから、以下、簡単に説明する。支柱７は、通常、可撓性、又は、弾性のある細棒が用いられる。一例として、支柱７は、金属材料や、合成樹脂材料、繊維強化プラスチック（ＦＲＰ）の他、竹などを用いて構成することができる。支柱７は、円弧（アーチ）状に湾曲され、両端７０、７０が、開口部４５を通じて支柱受け部４４に差し込まれることにより、間隔Ｌ４１内に配置されている。図２乃至図４の支柱７は、間隔Ｌ４１内において、複数が所定の間隔Ｌ４４で連設されている。
【００４１】
再び図１を参照して説明する。図１の建築構造体を構成するシート体８は、一端縁（裾部分）８１が主アーム部５１に取り付けられ、他端縁８２がベース部４に取り付けられている。より詳細に説明すると、シート体８は、裾部分８１が長手方向Ｌに沿って延びる筒状に成形されており、筒状の内部に主アーム部５１が挿通されている。端的に言えば、シート体８は、裾部分８１が主アーム部５１に巻装されている。シート体８の他端縁８２は、一対の連結部４３、４３の一方において、その長辺に沿って折り返され、該連結部４３の底面に、接着剤などを用いて固定されている（図９乃至図１２参照）。
【００４２】
図１の建築構造体１は、シート体８が複数の支柱７を開閉可能に覆っており、覆った状態で、トンネル状の内部空間１０が構成されている。内部空間１０は、アーチ状に湾曲された複数の支柱７によって、その内部に区画され、さらに支柱７の外面がシート体８で覆われることにより、シート体８の内面に画定される。
【００４３】
シート体８の具体的な構成は、建築構造体（１）の用途に応じて適宜決定することができる。例えば、建築構造体（１）が、図１乃至図４のようにトンネル型ビニールハウスとして用いられる場合、シート体８は、保温性、保温性の観点から、通常、ＰＶＣをフィルム状に成形したポリ塩化ビニルフィルムで構成される。
【００４４】
ところで、「ビニールハウス」は、もともと「ＰＶＣを用いた農業用温室」と言う意味を含むものである。しかし、近年、耐候性、耐紫外線、通気性、透湿防水性などの観点から、シート体８には、農業用ポリレフィン系フィルム（ＰＯフィルム）や、フッ素樹脂のフィルム（硬質フィルム）が用いられるようになっている。そこで、本明細書において「ビニールハウス」とは、広く「骨組体（２）を、合成樹脂フィルム等で構成したシート体（８）で覆うことにより構成される仮設建築物」を意味し、必ずしＰＶＣを用いたものに限定しない。さらに、図１乃至図４からは必ずしも明らかではないが、建築構造体（１）が、テントである場合や、庇や屋根など建築物の一部である場合、シート体（８）には布地などを用いることができる。
【００４５】
図１の建築構造体１は、シート体８を開閉操作するためのハンドル部８０を有している。ハンドル部８０は、紐状体であって、一端が主アーム部５１に結合されている。この構成によると、ハンドル部８０の操作時に生じる引き上げ力は主アーム部５１に掛かるから、シート体８を破損することなく、裾部分８１を開閉させることができる。上述したようにハンドル部８０は、曲軸体５を操作するためのものであるから、必ずしも紐状体に限定されるものではない。例えば、ハンドル部８０としてロッド（棒状体）を用いることもできるし、さらにはハンドル部８０を取り付けず、手で曲軸体５を直接持ち上げてもよい。
【００４６】
図５及び図６は、図２の骨組体の操作方法を示す左側面図である。図５に示すように、骨組体２を構成する一対の支持部４１、４１のそれぞれは、突出部分４１１が高さ方向Ｔに突出し、断面視Ｖ字形状になっている。違う言葉で表現すれば、支持部４１は、側面からみて突出部分４１１を頂点とする二等辺三角形形状となっており、一点鎖線で示す両端部分を結んだ線ａ１と、突出部分４１１との間に高低差Ｇが生じている。
【００４７】
支持部４１の高低差Ｇは、支柱７のアーチ構造を考慮したものである。すなわち、支柱７が、ＦＲＰ等の高弾性材料で構成されている場合、湾曲させたときに描かれるアーチ形状は、側面から見て正確な半円形の円弧状とはならず、高さ方向Ｔに突出した半楕円形の円弧状となる。図５の支柱７のアーチ形状は、短軸と、長軸とを有する半楕円形状であって、短軸は支柱７の両端を結んだ線ａ１上にあらわれ、長軸は支柱７の中間部分を通り短軸に直交する線ａ２上にあらわれる。従って、もし仮に、線ａ１上に曲軸体５の回転軸ａとなる端部５０を配置した場合、主アーム部５１は、円弧状の軌跡Ｃが線ａ２上で支柱７に交差し、スイング移動が阻害される不具合が生じる。そこで図５の骨組体２は、曲軸体５の回転軸ａを、高低差Ｇの分だけ高さ方向Ｔに移動させることにより、主アーム部５１の軌跡Ｃを、支柱７の外側に配置するものである。
【００４８】
弾性部材６は、図５に示す状態（閉状態）を基準として、主アーム部５１が一方向Ｒ１に回転したとき、曲軸体５に対して、主アーム部５１の回転方向Ｒ１とは逆方向Ｒ２に反発力Ｆを生じさせる。弾性部材６は、強風などにより主アーム部５１が不正に移動しないよう、図５に示す状態（閉状態）において、曲軸体５に対して逆方向Ｒ２に反発力Ｆを付与していることが好ましい。
【００４９】
図６は、図５に示した工程の後の状態（開状態）を示す図である。図５に示す閉状態から、例えばハンドル部（８０）を引き上げることにより、一点鎖線で示した円弧状の軌跡Ｃに沿って、主アーム部５１を一方向Ｒ１に回転させることができる。図５で説明したように、曲軸体５は、回転軸ａが高低差Ｇの分だけ高さ方向Ｔに引き上げられているから、主アーム部５１の軌跡Ｃが支柱７の外側に配置し、幅方向Ｗの一端から他端まで主アーム部５１を円滑にスイング移動させることができる。
【００５０】
図７は本発明のもう一つの実施形態に係る建築構造体の斜視図、図８は図７の建築構造体の内部構造を示す正面断面図である。また、図９乃至図１１は、図７及び図８の建築構造体について操作方法を示す左側面図である。
【００５１】
まず、図７及び図８の実施形態は、複数の建築構造体１、１を用いて構成される農業用温室の最小単位を示すものであって、複数の建築構造体１、１と、継ぎ目シート８３と、端部シート８４とを組み合わせることにより、一体的な内部空間１０が構成されている。耕作地の畝に作付けされた農作物９は、シート体８と、継ぎ目シート８３と、端部シート８４とによって覆われている。
【００５２】
複数の建築構造体１、１のそれぞれは、図１乃至図６を参照して説明したものでなり、ベース部４の貫通部分４０に農作物９が露出するよう配置されている。複数の建築構造体１、１は、互いの張出部分４３０をつき合わせることにより、長手方向Ｌに沿って連接されている。張出部分４３０の長さ寸法Ｌ４３０は、間隔Ｌ４４（例えば３００ｍｍ）を基準として、その半分程度の寸法（例えば１５０ｍｍ）で決定されているから、連設部分で間隔Ｌ４４が乱れることなく、複数の建築構造体１、１を長手方向Ｌに連接することができる。
【００５３】
継ぎ目シート８３、及び、端部シート８４は、シート体８と同一の材料で構成することができる。継ぎ目シート８３は、隣接する建築用構造体１、１の連設部分に取り付けられ、内部空間１０を密閉し、保温効果を高めるため、必要に応じて取り付けられるものである。同様に、端部シート８４も、内部空間１０を密閉し、保温効果を高めるため、長手方向Ｌでみた建築用構造体１の他端に必要に応じて取り付けられるものである。
【００５４】
建築構造体１の使用数および連結数は、保護対象である農作物９の作付面積、又は、畝の長さ寸法に追従して適宜増減することができる。建築構造体１の使用数および連結数が増えた場合、その分だけ増えた連結部分には、適宜、継ぎ目シート８３が設置されることは言うまでもない。
【００５５】
次に、図７及び図８の建築構造体１の換気作業のための操作方法について、図９乃至図１１を参照して説明する。図９は、内部空間１０が閉状態となっており、畝に作付けした農作物９が、シート体８によって気温や地温の低下、風雨、霜、露などの外界の悪天候から保護されている。支柱７の少なくとも一つには、止め具７１が取り付けられている。止め具７１は、クリップ状の把持部７１０を有しており、支柱７の周りを回転可能に取り付けられている。図９の止め具７１は、主アーム部５１のスイング移動を阻害しないよう、把持部７１０が支柱７の内側に向けられている。
【００５６】
トンネル内はシート体８によって保温性、保湿性が高められている結果、トンネル内が適正範囲を超えて高温化および高湿化しやすい傾向にあるから、トンネル内の換気をこまめに行うことが重要となる。図１０は、図９に示した工程の後の状態を示す図であって、農作業従事者は、例えば手でハンドル部８０を引き上げることにより、主アーム部５１が端部５０を回転軸ａとして回転Ｒ１し、主アーム部５１とともにシート体８の裾部分８１が、引き上げられ、裾部分８１の停止位置に応じて、内部空間１０が外部に開放される。図１０の開状態において、曲軸体５には、弾性部材６により、主アーム部５１の回転方向（Ｒ１）とは逆方向Ｒ２に反発力Ｆが生じている。従って、農作業従事者は、例えばハンドル部８０を手放すだけで、反発力Ｆに従って主アーム部５１が逆方向Ｒ２に回転し、自動的に内部空間１０を閉じることができる。他方、図９の状態から止め具７１を回転させ、その把持部７１０を支柱７の外側に向けることにより、把持部７１０に主アーム部５１が突き当たり、主アーム部５１の回転が規制される結果、図１０の開状態が維持される。
【００５７】
図１１は、図１０に示した工程の後の状態を示す図であって、幅方向Ｗで見た支柱７の一端から他端まで連続して主アーム部５１を回転Ｒ１させることにより、内部空間１０を完全に外部に開放することができる。図１１の開状態を維持するには、止め具７１を支柱７の他端まで移動させるか、又は、支柱７の他端付近に別途止め具７１を配置しておけばよい。
【００５８】
図１乃至図１１を参照して説明した開閉装置３、及び、これを用いた建築構造体１によると、以下の効果を奏することができる。まず、開閉装置３を構成するベース部４において、一対の支持部４１、４１は、互いに間隔Ｌ４１を隔てて向かい合っているから、間隔Ｌ４１内に農作物９を配置することができる。ここで、間隔Ｌ４１は畝の長さに応じて適宜設定することが可能であり、且、支持部４１の長さ寸法は畝の幅に応じてを適宜調節することが可能であるから、具体的な設置条件に対して容易に追従しうる開閉装置３を提供することができる。
【００５９】
建築構造体１は、シート体８によって画定される内部空間１０を有しているから、内部空間１０において、畝に作付けした農作物９を配置することにより、気温や地温の低下、風雨、霜、露などの外界の悪天候から保護することができる。
【００６０】
ところで、内部空間１０は、シート体８によって保温性、保湿性が高められている結果、適正範囲を超えて高温化および高湿化しやすい傾向にあるから、内部空間１０の換気をこまめに行うことが重要となる。ここで開閉装置３を構成する曲軸体５は、両端５０が、一対の支持部４１、４１に軸回転可能に取り付けられているから、例えば、一対の支持部４１、４１を畝に設置した状態で、曲軸体５のみを、ベース部４とは別に回転（Ｒ１又はＲ２）させることが可能となる。従って、開閉操作が容易な開閉装置３を提供することができる。
【００６１】
主アーム部５１は、曲軸体５を端部５０で軸回転させたとき、端部５０を中心として回転運動（Ｒ１又はＲ２）する。この構造によると、主アーム部５１をシート体８の裾部分８１に取り付け、回転Ｒ１又はＲ２させることにより、裾部分８１を一連に持ち上げ、又は、引き下ろすことが可能となる。従って、開閉操作が容易な開閉装置３、及び、これを用いたビニールハウスを提供することができる。
【００６２】
連結アーム部５２は、端部５０と主アーム部５１とを連結し、主アーム部５１の回転半径Ｄ５１を決定する。すなわち、主アーム部５１は、曲軸体５を軸回転させたとき、端部５０を中心とし、且、連結アーム部５２を回転半径Ｄ５１とする円弧状の軌跡Ｃを描きながら回転（Ｒ１又はＲ２）する。この構成によると、例えば支柱７を円弧状に湾曲させ、間隔Ｌ４１に配置した場合に、連結アーム部５２の長さ寸法を適宜調節することにより、主アーム部５１を、該支柱７の外側で回転（Ｒ１又はＲ２）させることができる。従って、開閉操作が容易な開閉装置３、及び、これを用いたビニールハウスを提供することができる。
【００６３】
開閉装置３を構成する弾性部材６は、曲軸体５と、ベース部４との間に設けられ、主アーム部５１が一方向Ｒ１に回転したとき、曲軸体５に対して、主アーム部５１の回転方向Ｒ１とは逆方向Ｒ２に反発力Ｆを生じさせる。この構成によると、強風などによる主アーム部５１の不正回転を弾性部材６の反発力Ｆによって規制することができる。
【００６４】
また、農作業従事者は、ハンドル部８０を引き上げることにより、主アーム部５１が端部５０を回転軸ａとして軸回転し、裾部分８１が、主アーム部５１とともに引き上げられ（Ｒ１）、裾部分８１の停止位置に応じて、内部空間１０が外部に開放される。しかも、曲軸体５には、弾性部材６により、主アーム部５１の回転方向Ｒ１とは逆方向Ｒ２に反発力Ｆが生じているから、ハンドル部８０を手放すだけで、反発力Ｆに従って主アーム部５１が自動的に逆方向Ｒ２に回転し、再び内部空間１０が閉じられる。従って、開閉操作が容易な開閉装置３、及び、これを用いたビニールハウスを提供することができる。
【００６５】
開閉装置３を構成するベース部４は、枠体であるから、接地面積が広くなる。従って、地表面ＧＬ等に設置された状態で姿勢が安定するから、長期間、適当に使用し続けることができる。また、ベース部４が枠状である構造によると、支柱７やシート体８が取り付けられた状態で、一体的に持ち運ぶことができる。従って、運搬作業、及び、施工作業の効率が向上する。
【００６６】
建築構造体１は、開閉装置３、支柱７、シート体８の組立構造であるから、使用時に迅速に組み立て、不使用時には分解して保管することができる。従って、保管コストを低減することができる。
【００６７】
従来、この種のトンネル型ビニールハウスの換気作業について、シート体（８）の裾部分（８１）を上方にたくし上げ、たくし上げた裾部分（８１）の束を止め具で支柱（７）に掛け止めることが一般であった。しかし、この種のトンネル型ビニールハウスは、畝の長さ寸法に追従して設けられるものであるから、通常、トンネル型ビニールハウスの長さ寸法は、数十ｍから数百ｍにも達する。しかも、裾部分（８１）は、地表面（ＧＬ）に位置するため、農作業従事者が上記した換気作業を行うに当たっては、長時間の中腰姿勢を強いられることとなり、労働負担が大きいという問題があった。
【００６８】
これに対し、図１乃至図１１を参照して説明した開閉装置３、及び、これを用いた建築構造体１によると、例えば、農作業従事者がハンドル部８０を引き上げることにより、主アーム部５１が軸回転し、裾部分８１が主アーム部５１とともに引き上げられ（Ｒ１）、内部空間１０が外部に開放される。しかも、曲軸体５には、弾性部材６により、主アーム部５１の回転方向Ｒ１とは逆方向Ｒ２に反発力Ｆが生じているから、ハンドル部８０を手放すだけで、反発力Ｆに従って主アーム部５１が自動的に逆方向Ｒ２に回転し、再び内部空間１０が閉じられる。従って、農作業従事者の労働負担を軽減することができる。
【００６９】
また、従来、この主のトンネル型ビニールハウスの換気作業について、被覆シートの一側部（袖部分）をシート支持杵によって支持し、ロープ巻取杆に駆動ロープを巻き取ることにより、シート支持杆に支持されている被覆シートの裾部分（８１）を一連にたくし上げるトンネル開閉装置が知られている。しかし、上述した機構では、部品点数が多い分だけ製造コスト高となるから、導入に当たって、農業従事者に過大な経済的負担を強いることとなる。しかも、部品点数が多い分だけ、故障等の不具合が発生する危険が高まり、導入後にも定期的な保守点検が必要となるから、維持管理費用コスト高を招く。また、例えばシート支持杆の長さ寸法は、通常、畝の長さ寸法に追従して決定されているから、農作物９の作付け数が変わったとしても、シート支持杆を交換しない限り、トンネル型ビニールシートにおける開閉領域の長さ寸法を調節することができない。
【００７０】
これに対し、図１乃至図１１を参照して説明した開閉装置３、及び、これを用いた建築構造体１によると、開閉装置３は、一対の支持部４１、４１と、弾性部材６と、曲軸体５の組み合わせにより構成されているから、部品点数が少ない分だけ、製造コストを低減することができる。また、開閉装置３は、少ない部品点数で構成されているから、その分だけ、故障の危険が低減される。従って、維持管理コストを低減することができる。
【００７１】
ところで、近年、個人が趣味で行う家庭菜園やベランダ菜園などの進展に伴い、数十ｃｍｍ〜数ｍ程度の小規模なトンネル型ビニールハウスが増加しており、この種の小規模なトンネル型ビニールハウス、及び、その開閉装置（３）に対する市場の要請が高まっている。図１乃至図１１を参照して説明した開閉装置３を構成する一対の連結部４３、４３は、表面に複数の支柱受け部４４を有している。この構成によると、支柱７は連結部４３、４３上において支柱受け部４４によって支持されている。違う言葉で表現すれば、図１乃至図１１の実施形態によると支柱７を土に刺さなくてもトンネル栽培を行うことができるから、図１２に示すように建築構造体１をベランダなどに設置し、鉢植え等の育成に用いることができる。従って、個人が趣味で行う家庭菜園やベランダ菜園に適した建築構造体１を提供することができる。
【００７２】
図１３は本発明の更にもう一つの実施形態に係る建築構造体の一部の斜視図、図１４は図１３の骨組体の一部を抜き出して示す断面図である。
【００７３】
図１３及び図１４の骨組体２は、ベース部４が枠体ではない点、及び、支柱７の端部７０につば具７２（図１４参照）が取り付けられている点を除いて、図１乃至図１２の実施形態と同一の基本的構成を有している。以下、相違点を中心に、説明する。
【００７４】
図１３の骨組体２において、支持部４１は、一対の連結部４３、４３と交差する関係で、両端が、一対の連結部４３、４３の中間部分に溶接されている。違う言葉で表現すれば、図１３の骨組体２は、一対のベース部４ａ，４ｂを有しており、一対のベース部４ａ，４ｂのそれぞれは、平面からみてＨ字形状となっている。
【００７５】
図１３のつば具７２は、機械的強度の観点から金属材料で構成されている。もっとも、つば具７２は、耐候性、耐腐食性の観点から、合成樹脂材料、繊維強化プラスチック（ＦＲＰ）などで構成することもできる。図１４のつば具７２は、棒状部７３と、鍔部７４とを有する。棒状部７３は、パイプ状体、又は、筒状体であって、中空部７２０と、開口部７５と、底部７６と、水抜き孔７７とを有している。底部７６は、高さ方向Ｔでみて開口部４５とは反対側に形成されている。中空部７２０は、棒状部７３の内面と、底部７６の内面によって画定され、開口部４５によって外部に開口している。水抜き孔７７は、底部７６に開口し、底部７６を高さ方向Ｔ（厚み方向）に貫通している。
【００７６】
鍔部７４は、高さ方向Ｔでみた棒状部７３の一端側において、開口部４５が開口する表面を構成している。鍔部７４は、好ましくは、棒状部７３と一体的に成形されている。図１３及び図１４から必ずしも明らかではないが、鍔部７４は、棒状部７３の平面形状を拡大した相似形に構成されており、縦断面（図１４）でみて、棒状部７３の外周面よりも幅方向（又は径方向）Ｗに突出した構造となっている。
【００７７】
つば具７２は、支柱７の両端部７０にそれぞれ取り付けられている。つば具７２は、この種のトンネル型ビニールハウスに用いられるアーチ状の支柱７において、その端部７０に取り付けられることにより、地表面ＧＬに対する支柱７の差込距離を所定の範囲Ｌ７０に規制し、複数の支柱７のそれぞれを均一なアーチで設置するために用いられる。
【００７８】
つば具７２を構成する鍔部７４は、棒状部７３の外面よりも径方向に突出しているから、棒状部７３を地表面ＧＬに差し込んだ場合、その下面が地表面ＧＬに接触することにより、地中に対する棒状部７３の差込距離が規制される。他方、つば具７２は、底部７６によって中空部７２０の高さ寸法が決定されているから、端部７０を底部７６に突き当たるまで差し込むことにより、地表面ＧＬに対する差込距離Ｌ７０が規制される。従って、図１３の建築構造体１において、間隔Ｌ４１内に、複数の支柱７を配置するあたり、長手方向Ｌに隣接する支柱７を同一のアーチ形状で設置することができる。
【００７９】
複数の支柱７は、両端７０につば具７２が取り付けられた状態で、間隔Ｌ４１内に間隔を隔てて配置されている。支柱７の設置数、及び、曲軸体５の長さ寸法は、保護対象である農作物の作付面積、又は、畝の長さ寸法に追従して適宜増減することができる。
【００８０】
図１５は本発明の更にもう一つの実施形態に係る建築構造体の内部構造を示す正面断面図である。図１５の実施形態は、複数の建築構造体１、１を用いて構成される農業用温室の最小単位を示すものである。複数の建築構造体１、１のそれぞれは、図１３及び図１４を参照して説明したものでなる。
【００８１】
図１３乃至図１５の実施形態によっても、図１乃至図１２を参照して説明した利点を奏することができる。さらに、図１３乃至図１５の骨組体２は、一対のベース部４ａ，４ｂを有することにより、一対の支持部４１、４１が互いに分離されている。この構造によると、保護対象である農作物９の作付面積、又は、畝の長さ寸法に追従して、一対の支持部４１、４１の配置位置を決定することができる。従って、具体的な設置条件に対して容易に追従しうる開閉装置３、及び、これを用いた建築構造体１を提供することができる。
【００８２】
ところで、図１３乃至図１５の実施形態では、支柱７と、一対のベース部４ａ，４ｂとは、直接的な結合関係になく、複数の支柱７を個々に地中に差し込むこととなる。このような差し込み作業によると、各支柱７のアーチ形状にばらつきが生じる。その結果、例えば、一部に所定の高さ寸法を超えて突出する支柱７がある場合、該支柱７に主アーム部５１が接触し、曲軸体５の回転が阻害される恐れがある。
【００８３】
上述した不具合を回避するため、図１３乃至図１５の実施形態では、支柱７の両端につば具７２を設けることにより、地表面ＧＬに対する支柱７の両端の差込距離Ｌ７０が一定に保たれる。その結果、複数の支柱７を同一のアーチ形状で設置することが可能となるから、一部の支柱７に主アーム部５１が接触し、曲軸体５の回転（Ｒ１、Ｒ２）が阻害される不具合は生じない。従って、具体的な設置条件に対して容易に追従しうる開閉装置３、及び、これを用いた建築構造体１を提供することができる。
【００８４】
図１６は本発明の更にもう一つの実施形態に係る建築構造体の一部の斜視図、図１７は図１６の骨組体の分解構造を示す斜視図である。
【００８５】
図１６及び図１７の骨組体２は、ベース部４が枠体である点を除いて、図１３乃至図１５の実施形態と同一の基本的構成を有している。更に言えば、図１６及び図１７の骨組体２は、図１乃至図１２の実施形態と、図１３乃至図１５の実施形態とを組み合わせた構成となっている。以下、相違点を中心に、説明する。
【００８６】
図１６及び図１７の骨組体２において、一対の連結部４３、４３は、複数の支柱受け孔４６を有している。支柱受け孔４６は、連結部４３を厚み方向（Ｔ）に貫通している。複数の支柱受け孔４６は、所定の間隔（Ｌ４４）を隔て、長手方向Ｌに沿って連設されている。支柱受け孔４６は、つば具７２及び支柱７を保持するものであるから、隣接する支柱受け孔４６の間隔は、この種のトンネル型ビニールハウスを構成する支柱７の配置態様に応じて適宜調節することができる。一例として、間隔は３００ｍｍ程度が好ましい。
【００８７】
図１６及び図１７の実施形態によると、図１乃至図１５を参照して説明した利点を奏することができる。図１６及び図１７の実施形態では、一対の連結部４３、４３に、予め所定の間隔で支柱受け孔４６が形成されているから、複数の支柱７を正確な間隔で取り付けることができる。従って、支柱７の設置作業を効率よく行うことができる。
【００８８】
さらに、図１６及び図１７の実施形態では、一対の連結部４３、４３に対して、その表面側につば具７２が配置され、鍔部７４の下面が、連結部４３の表面に接触する関係で挿通されている。この構成によると、建築構造体（１）を地表面（ＧＬ）に設置したとき、ベース部４がつば具７２によって、あたかも釘で打ちつけたように地表面ＧＬに固定されるから、例えば、曲軸体５の回転時にベース部４が浮き上がったり、強風で揺動するような不具合は生じない。従って、建築構造体１の設置姿勢が安定し、開閉操作が容易な開閉装置３、及び、これを用いた建築構造体１を提供することができる。
【００８９】
図１８は本発明の更にもう一つの実施形態に係る建築構造体の内部構造を示す正面断面図、図１９は図１８の骨組体の一部を抜き出して示す平面図である。
【００９０】
図１８の骨組体２は、開閉装置３を構成するベース部４、及び、曲軸体５の構造について、図１乃至図１１の実施形態、及び、図１６及び図１７の実施形態とは異なる特徴を有している。以下、相違点を中心に、説明する。
【００９１】
図１８及び図１９のベース部４は、長手方向Ｌでみた一組の支持部４１、４１の間に、第３の支持部４２を有している。第３の支持部４２は、支持部４１と同一の構成を有し、両端が一対の連結部４３、４３に溶接されている。
【００９２】
図１８及び図１９の曲軸体５は、３つの軸部材（５ａ，５ｂａ，５ｂ）の組み合わせ構造を有している。端的に言えば、図１８及び図１９の曲軸体５は、図１乃至図１７の曲軸体５を、主アーム部５１の中間部分で切断し、第１〜第３の曲軸体５ａ，５ｂａ，５ｂに分割したものであって、主アーム部５１の切断部分を第２の曲軸体５ｂで連結した構造になっている。もっとも、図１８及び図１９の第１〜第３の曲軸体５ａ〜５ｃは、それぞれ個別に製造しうることは明白である。
【００９３】
第２の曲軸体５ｂは、長さ方向の一端が差込端５４を構成し、他端が連結端５５を構成し、長手方向Ｌの中間部分が連結アーム部５２を構成している。第２の曲軸体５ｂを構成する連結アーム部５２は、一端が屈曲箇所を介して差込端５４に連続している。差込端５４は、第３の支持部４２に取り付けられている軸受け部４１０に軸回転可能に結合される。
【００９４】
第１、第３の曲軸体５ａ，５ｃのそれぞれを構成する主アーム部５１は、その突合せ端に嵌合用孔部５６を有している。第２の曲軸体５ｂは、連結端５５の両端が、嵌合用孔部５６に差し込まれることにより、第１、第３の曲軸体５ａ，５ｃを連結する。第２の曲軸体５ｂを構成する連結アーム部５２は、他端が、連結端５５の中間部分に対し、直交する関係で結合している。端的に説明すると、第２の曲軸体５ｂは、連結アーム部５２の他端部分が、平面から見てＴ字形状となっている。
【００９５】
図１８及び図１９の実施形態によると、図１乃至図１１、及び、図１６及び図１７を参照して説明した利点を奏することができる。さらに図１８及び図１９の実施形態は、一対の支持部４１、４１の間に第３の支持部４２を有し、且、第３の支持部４２に対応する第２の曲軸体５ｂを有している。この構造によると、建築構造体１の長さ寸法が長くなったとしても、その中間部分に適宜、第３の支持部４２を追加して補強することが可能であるから、中間部分でシート体８のたるみが発生する不具合を回避することができる。
【００９６】
しかも、第３の支持部４２に対応する第２の曲軸体５ｂを有している構造によると、建築構造体１の長さ寸法が長くなり、長手方向Ｌの両端部分に取り付けられる弾性部材６の反発力Ｆだけでは、反発力Ｆが不十分となったとしても、その中間部分に適宜、第２の曲軸体５ｂを追加して補強することが可能である。その結果、曲軸体５の全長に亘って、均一且充分な反発力Ｆを確保し、安定した開閉動作をさせることが可能となる。従って、図１８及び図１９の実施形態によると、具体的な設置条件に対して容易に追従しうる開閉装置３、及び、これを用いた建築構造体１を提供することができる。
【００９７】
以上、好ましい実施例を参照して本発明の内容を具体的に説明したが、本発明の基本的技術思想及び教示に基づいて、当業者であれば、種種の変形態様を採り得ることは自明である。そもそも本発明に係る開閉装置３、及び、これを用いた建築構造体１の特徴の一つは、主アーム部５１が、連結アーム部５２を回転半径Ｄ５１とする円弧状の軌跡Ｃを描きながら回転する点にある。上述した構造を有する開閉装置３は、図１乃至図１９を参照して説明した農業用温室以外にも、開閉可能な断面円弧状の覆いを有する建築構造体１に広く用いることができる。例えば、図２０に示すように四隅に支柱４７を配することにより、テントなどの仮設建築物のほか、庇や屋根など建築物の一部に用いることができる。
【００９８】
また、本発明に係る開閉装置３は、ハウス栽培用ビニールハウスの屋根部分に用いることもできる。さらに、トンネル状の内部空間１０を人が立って通行できる寸法まで拡大することにより、例えば、ゴルフ場において各ホールの移動路に沿って一時的に設置する雨よけとして用いることができる。
【符号の説明】
【００９９】
１            建築構造体
２            骨組体
３            開閉装置
４            ベース部
４１          一対の支持部
４１１        突出部分
４３          一対の連結部
４４          支柱受け部
５            曲軸体
５０          一対の端部
５１          主アーム部
５２          連結アーム部
６            弾性部材
７            支柱
８            シート体
Ｌ            長手方向
Ｌ４１        一対の支持部の間隔
Ｔ            高さ方向
Ｒ１          主アーム部の回転方向（一方向）
Ｒ２          主アーム部の回転方向とは逆方向
Ｆ            反発力
【図１】
2012100561.tif 000003
【図２】
2012100561.tif 000004
【図３】
2012100561.tif 000005
【図４】
2012100561.tif 000006
【図５】
2012100561.tif 000007
【図６】
2012100561.tif 000008
【図７】
2012100561.tif 000009
【図８】
2012100561.tif 000010
【図９】
2012100561.tif 000011
【図１０】
2012100561.tif 000012
【図１１】
2012100561.tif 000013
【図１２】
2012100561.tif 000014
【図１３】
2012100561.tif 000015
【図１４】
2012100561.tif 000016
【図１５】
2012100561.tif 000017
【図１６】
2012100561.tif 000018
【図１７】
2012100561.tif 000019
【図１８】
2012100561.tif 000020
【図１９】
2012100561.tif 000021
【図２０】
2012100561.tif 000022